Podtech/llm-jp-corpus-v4-ja_patent huggingface dataset:
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
式：Ｒ１−（Ｒ２−Ｑ−Ｚ）ｘ
［式中、Ｒ１は、少なくとも２０の繰り返し単位を有するイソブチレンコポリマーを表し、Ｒ２は、共有結合又は多価のアルキレン又はアリーレンであり、
Ｑは、−Ｏ−，−ＮＲ３−（式中、Ｒ３は、Ｈ又はＣ１〜Ｃ４アルキル、−Ｓ−又は−Ｏ−ＣＯ−である）であり、
Ｚは、２０℃以上のＴｇを有するグラフトポリマーである］
で表されるグラフトイソブチレンコポリマー組成物と、
組成物の総重量に対して１〜５０重量％の粘着付与剤と、を含む、接着剤組成物。
【請求項２】
前記イソブチレンコポリマーのＺが、式：
【化１】
2014510806.tif 000001
［式中、Ｒ４は、水素又はＣ１〜Ｃ４アルキル基であり、
Ｒ５は、（ヘテロ）アリール基、シクロヘキシル基、又はエステル基であり、
下付き文字ｙは、１０〜５００である］
で表されるグラフトポリマーである、請求項１に記載の接着剤組成物。
【請求項３】
Ｒ４が、Ｈであり、
Ｒ５が、式：
【化２】
2014510806.tif 000002
（式中、Ｒ９は、Ｈ、アルキル、シクロアルキル、又はアリール基である）である、請求項２に記載の組成物。
【請求項４】
Ｒ５は、−ＣＯ−Ｏ−Ｒ８
（式中、Ｒ８が、アルキル、シクロアルキル、又はアリール基である）である、請求項２に記載の組成物。
【請求項５】
前記イソブチレンコポリマーの前記繰り返し単位の０．０１〜４０パーセントが、グラフトポリマー基により置換されている、請求項１に記載の組成物。
【請求項６】
ペンダントグラフトポリマー基を有する前記モノマー繰り返し単位が、イソプレンモノマー単位である、請求項１に記載の組成物。
【請求項７】
前記ペンダントグラフトポリマーが、スチレンポリマー又は（メタ）アクリレートグラフトポリマーである、請求項１に記載の組成物。
【請求項８】
ペンダントグラフトポリマー基を有する前記モノマー単位が、式：
【化３】
2014510806.tif 000003
［式中、Ｒ２は、多価のアルキレン又はアリーレンであり、
Ｑは、−Ｏ−、−Ｓ−、−Ｏ−ＣＯ−、又は−ＮＲ３−（式中、Ｒ３は、Ｈ又はＣ１〜Ｃ４アルキルである）であり、
Ｚは、グラフトポリマー基であり、
Ｒ７は、Ｈ又はＣＨ３である］
のものである、請求項１に記載の組成物。
【請求項９】
前記コポリマーが、式：
【化４】
2014510806.tif 000004
［式中、ａは、少なくとも２０であり、ｂ及びｃのうちの少なくとも１つは、少なくとも１であり、
Ｒ２は、共有結合又は多価のアルキレン又はアリーレンであり、
Ｑは、−Ｏ−、−Ｓ−、−Ｏ−ＣＯ−、又は−ＮＲ３−（式中、Ｒ３は、Ｈ又はＣ１〜Ｃ４アルキルである）であり、
Ｚは、グラフトポリマー基であり、Ｒ７は、Ｈ又はＣＨ３である］
のものである、請求項１に記載の組成物。
【請求項１０】
前記イソブチレンコポリマーが、式：
【化５】
2014510806.tif 000005
［式中、ａは、少なくとも２０であり、ｄは、少なくとも１であり、
Ｒ２は、多価のアルキレン又はアリーレンであり、
Ｑは、−Ｏ−、−Ｓ−、−Ｏ−ＣＯ−、又は−ＮＲ３−（式中、Ｒ３は、Ｈ又はＣ１〜Ｃ４アルキルである）であり、
Ｚは、グラフトポリマー基であり、
Ｒ７は、Ｈ又はＣＨ３である］
のものである、請求項１に記載の組成物。
【請求項１１】
非官能性ポリ（イソブチレン）ポリマーを更に含む、請求項１に記載の組成物。
【請求項１２】
ａ．ペンダントグラフトポリマー基を有する３０重量％超のイソブチレンコポリマーと、
ｂ．１〜５０重量％の粘着付与剤と、
ｃ．１０〜５０重量％の非官能性ポリ（イソブチレン）と、
を含む、請求項１に記載の接着剤組成物。
【請求項１３】
請求項１に記載の接着剤組成物のコーティングを裏材上に含む、接着剤物品。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
ａ）少なくとも１つの熱硬化性樹脂、
ｂ）１〜５０μｍの平均粒子径を有する導電性粒子、および
ｃ）熱硬化性接着剤の熱硬化の間に対応する金属に実質的に分解する、少なくとも１つの金属前駆体
を含む熱硬化性接着剤。
【請求項２】
熱硬化性樹脂が、エポキシ樹脂、ベンゾオキサジン樹脂、アクリレート樹脂、ビスマレイミド樹脂、シアン酸エステル樹脂、ポリイソブチレン樹脂および／またはそれらの組み合わせから選択される、請求項１に記載の熱硬化性接着剤。
【請求項３】
熱硬化性樹脂がエポキシ樹脂から選択される、請求項１または２に記載の熱硬化性接着剤。
【請求項４】
熱硬化性接着剤中の全熱硬化性樹脂の総重量が、熱硬化性接着剤の総量に基づいて、３〜２５重量％の範囲、好ましくは５〜１８重量％の範囲である、請求項１〜３のいずれかに記載の熱硬化性接着剤。
【請求項５】
導電性粒子が、金属粒子、金属めっき粒子または金属合金粒子および／またはそれらの組み合わせから選択される、請求項１〜４のいずれかに記載の熱硬化性接着剤。
【請求項６】
導電性粒子が、銅、銀、白金、パラジウム、金、錫、インジウム、アルミニウム若しくはビスマス、またはそれらの任意の組み合わせを含む、請求項１〜５のいずれかに記載の熱硬化性接着剤。
【請求項７】
導電性粒子が２〜２０μｍの平均粒子径を有する、請求項１〜６のいずれかに記載の熱硬化性接着剤。
【請求項８】
導電性粒子が本質的に銀からなる、請求項１〜７のいずれかに記載の熱硬化性接着剤。
【請求項９】
熱硬化性接着剤が、熱硬化性接着剤の総量に基づいて７０〜９０重量％の導電性粒子を含む、請求項１〜８のいずれかに記載の熱硬化性接着剤。
【請求項１０】
金属前駆体が、少なくとも１つの金属または金属化合物と少なくとも１つのヘテロ原子含有配位子との反応により得られる、請求項１〜９のいずれかに記載の熱硬化性接着剤。
【請求項１１】
金属化合物が、金属酸化物、金属ハロゲン化物、金属シアン化物、金属シアン酸塩、金属炭酸塩、金属硝酸塩、金属亜硝酸塩、金属硫酸塩、金属亜硫酸塩、金属硫化物、金属リン酸塩、金属チオシアン酸塩、金属塩素酸塩、金属過塩素酸塩、金属ホウ酸塩、金属フルオロホウ酸塩、金属アミド、金属アルコキシド、金属アセチルアセトネート、金属カルボン酸塩および／またはそれらの混合物若しくはそれらの組み合わせから選択される、請求項１０に記載の熱硬化性接着剤。
【請求項１２】
金属化合物がカルボン酸銀塩から選択される、請求項１０または１１に記載の熱硬化性接着剤。
【請求項１３】
ヘテロ原子含有配位子が、Ｎ−ドナー配位子、Ｏ−ドナー配位子および／またはＳ−ドナー配位子から選択される、請求項１０〜１２のいずれかに記載の熱硬化性接着剤。
【請求項１４】
ヘテロ原子含有配位子が、
−  アミン官能化ポリエーテル；
−  式：Ｒａ−［ＮＨ２］ｕ
〔式中、ｕは１〜４の整数であり、Ｒａは、４〜２２個の炭素原子を有する飽和若しくは部分的に不飽和の直鎖、分枝若しくは環状炭化水素残基である〕
で示される第１級アミン；
−  式：
【化１】
2014510803.tif 000001
〔式中、ＲｂおよびＲｂ’は、独立して、３〜２２個の炭素原子を有する飽和若しくは部分的に不飽和の直鎖、分枝若しくは環状の炭化水素残基から選択される〕
で示される第２級アミン；および／または
−  式：
【化２】
2014510803.tif 000002
〔式中、Ｒｃ、Ｒｃ’およびＲｃ’’は、独立して、３〜２２個の炭素原子を有する飽和若しくは部分的に不飽和の直鎖、分枝若しくは環状の炭化水素残基から選択される〕
で示される第３級アミン
から選択されるＮ−ドナー配位子である、請求項１０〜１３のいずれかに記載の熱硬化性接着剤。
【請求項１５】
金属前駆体が、熱硬化性接着剤において使用する前に液体ヘテロ原子含有配位子中に溶解または分散させたものである、請求項１〜１４のいずれかに記載の熱硬化性接着剤。
【請求項１６】
予め溶解または予め分散させた金属前駆体が熱硬化性接着剤中に、熱硬化性接着剤の総量に基づいて０．３〜７重量％の量で、好ましくは０．７５〜４重量％の量で存在する、請求項１５に記載の熱硬化性接着剤。
【請求項１７】
金属前駆体が約７０〜約２２０℃の範囲の熱分解温度を有する、請求項１〜１６のいずれかに記載の熱硬化性接着剤。
【請求項１８】
請求項１〜１７のいずれかに記載の熱硬化性接着剤の硬化生成物。
【請求項１９】
間隔をあけて配置された２つの基材を含んでなる結合組立品であって、各基材が内部接面および外部接面を有しており、請求項１８に記載の硬化生成物により２つの基材の内部接面間に導電性接着が形成されている、結合組立品。
【請求項２０】
少なくとも１つの内部接面が、５０００μｍ２未満の表面積を有する、請求項１９に記載の結合組立品。
【手続補正２】
【補正対象書類名】明細書
【補正対象項目名】００１６
【補正方法】変更
【補正の内容】
【００１６】
本発明は、間隔をあけて配置された２つの基材を含む結合組立品であって、各基材が内部接面および外部接面を有しており、本発明の硬化生成物により２つの基材の内部接面間に導電性接着が形成されている、結合組立品も提供する。
【手続補正３】
【補正対象書類名】明細書
【補正対象項目名】０１０２
【補正方法】変更
【補正の内容】
【０１０２】
本発明の別の態様は、間隔をあけて配置された２つの基材を含んでなる結合組立品であって、各基材が内部接面および外部接面を有しており、本発明の接着剤の硬化生成物により２つの基材の内部接面間に導電性接着が形成されている、結合組立品である。
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
炭素原子数が４〜１８であるアルキル基を有するアルキル（メタ）アクリレートエステルと、親水性共重合性モノマーと、フリーラジカル生成開始剤と、を含む、接着剤組成物であって、
前記接着剤組成物が、約２５℃〜約１００℃の温度にて約０．５〜約１．０のタンデルタ値を維持する、接着剤組成物。
【請求項２】
第１の基材、第２の基材及び前記第１の基材と前記第２の基材との間に配置される接着剤組成物を含む、積層体であって、
前記接着剤組成物が、炭素原子数が４〜１８であるアルキル基を有するアルキル（メタ）アクリレートエステル、親水性共重合性モノマー及びフリーラジカル生成開始剤を含み、
前記接着剤組成物が、約２５℃〜約１００℃にて約０．５〜約１．０のタンデルタ値を維持する、積層体。
【請求項３】
前記接着剤組成物が、組み立て後に更に架橋され、約２５℃〜約１００℃の前記タンデルタ値が下げられる、請求項２に記載の積層体。
【請求項４】
積層体を組み立てる方法であって、
炭素原子数が４〜１８であるアルキル基を有するアルキル（メタ）アクリレートエステル、親水性共重合性モノマー及びフリーラジカル生成開始剤を含む、接着剤組成物を準備することと、
前記接着剤組成物を約２５℃〜約６０℃の温度にて積層することであって、積層中の前記接着剤組成物のタンデルタ値が、約０．５〜約１．０であることと、
前記接着剤組成物をオートクレーブすることであって、オートクレーブ中の前記接着剤組成物のタンデルタ値が、約０．６〜約１．０であることと、を含む、方法。
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
多孔質構造を有する、一緒に焼結される金属粉末粒子および金属繊維の等方性組成物
を含む多孔質焼結体であって、
前記金属粉末粒子が、前記多孔質焼結体中の１つ以上の金属繊維の部分に焼結される結節点であり、前記金属繊維が、前記多孔質焼結体全体にわたって１つ以上の他の金属繊維の部分に焼結され、
ａ）細孔径１０μｍ以下である細孔、ｂ）１４ポンド毎平方インチの差圧で測定したとき、前記多孔質焼結体の１平方センチメートル当たりの空気が１．７標準リットル毎分より多い空気透過性、ｃ）多孔質焼結体１平方センチメートル当たり約２標準リットル毎分で、０．２８センチメートルの厚さの多孔質焼結体が０．０１４μｍを中心とするサイズ分布を有する粒子分布のエアロゾルを負荷される際に、６を超えるＬＲＶ、を有する、
多孔質焼結体。
【請求項２】
前記多孔質焼結体の第１の表面が金属粉末粒子および金属繊維の分布を有し、この分布が前記多孔質焼結体の第２の表面の金属粉末粒子および金属繊維の分布とほぼ同じである、請求項１に記載の多孔質焼結体。
【請求項３】
請求項１に記載の多孔質焼結体を含むディフューザ。
【請求項４】
請求項１に記載の多孔質焼結体を含むフィルタ。
【請求項５】
（ａ）金属粉末粒子および金属繊維を一緒にブレンドして静電気帯電を放散し、金属粉末粒子および金属繊維の均一な混合物を実現する段階と、
（ｂ）多孔質構造を有し、一緒に焼結される金属粉末粒子および金属繊維の等方性組成物を含む多孔質焼結体を形成するために均一な混合物を焼結する段階であって、
前記金属粉末粒子が、前記多孔質焼結体中の１つ以上の金属繊維の部分に焼結される結節点であり、前記金属繊維が、前記多孔質焼結体全体にわたって１つ以上の他の金属繊維の部分に焼結される段階と、
を含む段階によって作られ、
ａ）細孔径１０μｍ以下である細孔、ｂ）１４ポンド毎平方インチの差圧で測定したとき、前記多孔質焼結体の１平方センチメートル当たりの空気が１．７標準リットル毎分より多い空気透過性、ｃ）多孔質焼結体１平方センチメートル当たり約２標準リットル毎分で、０．２８センチメートルの厚さの多孔質焼結体が０．０１４μｍを中心とするサイズ分布を有する粒子分布のエアロゾルを負荷される際に、６を超えるＬＲＶ、を有する、
多孔質焼結体。
【請求項６】
前記金属繊維が約１〜約２０μｍの直径を有する、請求項１、２、及び５の何れか１項に記載の多孔質焼結体。
【請求項７】
前記金属繊維が約１〜約２μｍの直径を有する、請求項６に記載の多孔質焼結体。
【請求項８】
前記金属繊維が約２５〜約１２５のアスペクト比を有する、請求項１、２、及び５の何れか１項に記載の多孔質焼結体。
【請求項９】
前記金属粉末粒子が約１０〜約１００μｍを超えない寸法を有する、請求項１、２、及び５の何れか１項に記載の多孔質焼結体。
【請求項１０】
少なくとも５５％の間隙率を有する、請求項１、２、及び５の何れか１項に記載の多孔質焼結体。
【請求項１１】
少なくとも５８％の間隙率を有する、請求項１、２、及び５の何れか１項に記載の多孔質焼結体。
【請求項１２】
前記金属粉末粒子および金属繊維が各々独立にニッケルまたはステンレス鋼である、請求項１、２、及び５の何れか１項に記載の多孔質焼結体。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
繊維およびフィルムの生成物および複合材料を製造する方法であって、
ナノフィブリルセルロース（ＮＦＣ）の水性ゲルを水に混和性である有機抽出剤に導入することによって、前記水性ゲルが分離相として保持され、前記相中にナノフィブリルセルロースを含む１または複数の個別の物理エンティティを形成させることと、
ナノフィブリルセルロースの前記１または複数の個別の物理エンティティにおいて、水を有機抽出剤と交換することと、
有機抽出剤をナノフィブリルセルロースの１または複数の個別の物理エンティティから除去することによってナノフィブリルセルロースを乾燥させることとを含み、
ナノフィブリルセルロースの水性ゲルを、乾燥後に繊維状もしくはリボン状もしくはフィルム状の生成物を形成する１もしくは複数の細長い要素の形態で有機抽出剤に導入すること、ならびに／または
少なくとも１つの物質を水性ゲルによって、および／もしくは抽出剤によって１もしくは複数の別個の物理エンティティに組み込み、ナノフィブリルセルロースと前記物質との複合材料を作製することを含むことを特徴とする方法。
【請求項２】
前記１または複数の個別の物理エンティティは、繊維状、リボン状、またはフィルム状の生成物を形成する１または複数の細長い要素であることを特徴とする請求項１に記載の方法。
【請求項３】
前記１または複数の細長い要素の強度は、延伸によって増加することを特徴とする請求項２に記載の方法。
【請求項４】
前記繊維状またはリボン状の生成物は、さらに糸に処理されることを特徴とする請求項２または３に記載の方法。
【請求項５】
前記繊維状またはリボン状の生成物は、さらに２次元または３次元構造体に処理されることを特徴とする請求項２または３に記載の方法。
【請求項６】
前記繊維状もしくはリボン状の生成物、または糸、またはそれから処理された２次元もしくは３次元構造体は、補強材として複合材料に組み込まれることを特徴とする請求項２〜５のいずれか１項に記載の方法。
【請求項７】
前記フィルム状の生成物は、補強材として複合材料に組み込まれることを特徴とする請求項２または３に記載の方法。
【請求項８】
前記１または複数の物理エンティティに組み込まれる物質は、ポリマー自体または前駆体の形態のいずれかであることを特徴とする請求項１〜５のいずれかに１項に記載の方法。
【請求項９】
前記１または複数の物理エンティティに組み込まれる物質は、ポリマー自体または前駆体の形態のいずれかであり、前記ポリマーは、複合材料中でポリマーマトリックスまたはその一部を形成することを特徴とする請求項６または７に記載の方法。
【請求項１０】
２次元または３次元繊維構造体は、細長い要素を、有機抽出剤中にその場（in situ）で沈着させることによって２次元または３次元構造体に形成されることを特徴とする請求項２に記載の方法。
【請求項１１】
組み込まれる前記物質は、活性薬剤分子、または細胞外マトリックス成分、血清、成長因子もしくはタンパク質であることを特徴とする請求項１〜５および１０のいずれか１項に記載の方法。
【請求項１２】
前記ポリマーは、前記抽出剤に溶解し、前記抽出剤から前記物理エンティティに入る疎水性ポリマーであることを特徴とする請求項８または９に記載の方法。
【請求項１３】
前記ポリマーは、ナノフィブリルセルロースの水性ゲルが抽出剤に導入されるとき、前記水性ゲル中に溶解し、前記物理エンティティに組み込まれる親水性ポリマーであることを特徴とする請求項８または９に記載の方法。
【請求項１４】
前記複数の物理エンティティは、前記ナノフィブリルセルロースと、前記組み込まれる物質とを含有する粒子に形作られることを特徴とする請求項１に記載の方法。
【請求項１５】
前記組み込まれる物質は、ポリマー自体、または前駆体の形態のいずれかであることを特徴とする請求項１４に記載の方法。
【請求項１６】
前記粒子は、溶融処理または溶媒処理において少なくとも１つの出発物質として使用され、前記ポリマーとナノフィブリルセルロースとを含有する物品は、溶融処理または溶媒処理によって製造されることを特徴とする請求項１５に記載の方法。
【請求項１７】
前記溶融処理は、押出成形であることを特徴とする請求項１６に記載の方法。
【請求項１８】
前記有機抽出剤は、水混和性アルコール、ジオキサン、およびＴＨＦから選択されることを特徴とする請求項１〜１７のいずれか１項に記載の方法。
【請求項１９】
前記ナノフィブリルセルロースは、官能化セルロースであることを特徴とする請求項１〜１８のいずれか１項に記載の方法。
【請求項２０】
前記ナノフィブリルセルロースは、前記セルロース分子中に、アルデヒド基、カルボキシル基、カルボキシメチル基、またはカチオン性基を含有することを特徴とする請求項１９に記載の方法。
【請求項２１】
繊維状生成物であって、構造的一体性を当該繊維状生成物にもたらし、少なくとも２０ＧＰａの当該繊維状生成物の剛性（引張係数）をもたらす再配列されたナノセルロースファイバーを含む細長い連続フィラメントまたは線条であることを特徴とする繊維状生成物。
【請求項２２】
引張強度が、少なくとも２５０Ｍｐａであることを特徴とする請求項２１に記載の繊維状生成物。
【請求項２３】
前記ナノセルロースファイバーは、少なくとも部分的な配向によって再配列されることを特徴とする請求項２２に記載の繊維状生成物。
【請求項２４】
前記フィラメントまたは線条は、２次元、または３次元構造体を形成することを特徴とする請求項２１〜２３のいずれか１項に記載の繊維状生成物。
【請求項２５】
前記フィラメントまたは線条は、組み込まれる物質として、活性薬剤分子、または細胞外マトリックス成分、血清、成長因子もしくはタンパク質を含むことを特徴とする請求項２１〜２４のいずれか１項に記載の繊維状生成物。
【請求項２６】
前記繊維状生成物は、外部、または内部使用において人体に接して配置されるとき、前記組み込まれる物質を放出することができることを特徴とする請求項２５に記載の繊維状生成物。
【請求項２７】
複合材料における補強材として、または機能性物質のための担体材料として、２次元または３次元構造体を形作るための、請求項２１〜２３のいずれか１項に記載の繊維状生成物の使用。
【請求項２８】
前記機能性物質は、導電性物質、特に導電性ポリマーであることを特徴とする請求項２７に記載の使用。
【請求項２９】
前記機能性物質は、薬剤活性、または生物活性を有し、薬剤、細胞外マトリックス成分、血清、成長因子、またはタンパク質であることを特徴とする請求項２７に記載の使用。
【請求項３０】
前記繊維状生成物は、繊維状の、１次元、２次元、または３次元構造体として使用されることを特徴とする請求項２９に記載の使用。
【請求項３１】
前記繊維状生成物は、インビトロ細胞培養用途において使用されることを特徴とする請求項３０に記載の使用。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
リモコンの少なくとも１つの制御フィーチャを推定する装置において、前記リモコンが、前記リモコンにより制御される機器に又は近くに配置された少なくとも１つのビーコンから生じる少なくとも１つの光点を検出し、前記少なくとも１つのビーコンと異なる他の光源を有する少なくとも１つの非ビーコンから生じる少なくとも１つの光点を検出するカメラを有し、前記装置が、
前記少なくとも１つのビーコンからの前記少なくとも１つの光点及び前記少なくとも１つの非ビーコンからの前記少なくとも１つの光点の両方の検出からの情報に応答して前記少なくとも１つの制御フィーチャを推定するプロセッサ、
を有する、装置。
【請求項２】
前記情報は、対応する光点の座標、サイズ及び強度のうちの少なくとも１つを有する、請求項１に記載の装置。
【請求項３】
前記少なくとも１つのビーコンから生じる少なくとも１つの光点が、第１及び／又は第２のビーコンから生じる第１及び／又は第２の光点を有し、前記少なくとも１つの非ビーコンから生じる少なくとも１つの光点が、第１及び／又は第２の非ビーコンから生じる第３及び／又は第４の光点を有し、前記カメラが、時間間隔毎の前記第１及び／又は第２の光点並びに時間間隔毎の前記第３及び／又は第４の光点を検出し、前記情報が、時間間隔毎の前記第１及び／又は第２の光点の第１及び／又は第２の検出からの第１及び／又は第２の情報並びに時間間隔毎の前記第３及び／又は第４の光点の第３及び／又は第４の検出からの第３及び／又は第４の情報を有し、前記装置が、
時間間隔毎に前記第１及び／又は第２の情報並びに前記第３及び／又は第４の情報を記憶するメモリ、
を有する、請求項１又は請求項２に記載の装置。
【請求項４】
前記第１及び／又は第２のビーコンとして前記第１のビーコンのみが存在し、前記第１及び／又は第２の非ビーコンとして前記第１の非ビーコンのみが存在し、前記プロセッサは、前記第１の光点が時間間隔において検出されることができない場合に、この時間間隔からの前記第３の情報と以前の時間間隔からの前記第１及び第３の情報とを処理することによりこの時間間隔に対する前記第１の情報を推定する、請求項３に記載の装置。
【請求項５】
前記第１及び／又は第２のビーコンとして前記第１のビーコン及び前記第２のビーコンが存在し、前記第１及び／又は第２の非ビーコンとして前記第１の非ビーコンのみが存在し、前記プロセッサは、前記第１の光点が時間間隔において検出されることができない場合に、この時間間隔からの前記第２及び第３の情報と以前の時間間隔からの前記第１及び第２及び第３の情報とを処理することによりこの時間間隔に対する前記第１の情報を推定する、請求項３に記載の装置。
【請求項６】
前記第１及び／又は第２のビーコンとして前記第１のビーコン及び前記第２のビーコンが存在し、前記第１及び／又は第２の非ビーコンとして前記第１の非ビーコン及び前記第２の非ビーコンが存在し、前記プロセッサは、前記第１の光点が時間間隔において検出されることができない場合に、この時間間隔からの前記第２及び第３及び第４の情報と以前の時間間隔からの前記第１及び第２及び第３及び第４の情報とを処理することによりこの時間間隔に対する前記第１の情報を推定する、請求項３に記載の装置。
【請求項７】
前記第１及び／又は第２のビーコンとして前記第１のビーコン及び前記第２のビーコンが存在し、前記第１及び／又は第２の非ビーコンとして前記第１の非ビーコン及び前記第２の非ビーコンが存在し、前記プロセッサは、この時間間隔からの前記第１及び第２及び第３及び第４の情報並びに／又は以前の時間間隔からの前記第１及び第２及び第３及び第４の情報に応答して前記少なくとも１つの制御フィーチャの推定を改良する、請求項３に記載の装置。
【請求項８】
前記少なくとも１つのビーコンから来る光が、変調された光であり、前記少なくとも１つの非ビーコンから来る光が、他の光である、請求項１に記載の装置。
【請求項９】
前記情報が、検出毎及び時間間隔毎の座標及び／又はサイズ及び／又は強度を有する、請求項２に記載の装置。
【請求項１０】
前記少なくとも１つの制御フィーチャが、前記機器上の指示位置及び／又は前記リモコンと前記機器との間の距離及び／又は前記リモコンの回転及び／又は前記リモコンの傾き及び／又は前記機器に対する前記リモコンの場所を有する、請求項１に記載の装置。
【請求項１１】
前記少なくとも１つの制御フィーチャが、前記リモコンの速度及び／又は前記リモコンの加速度及び／又は前記リモコンの移動及び／又は前記リモコンのズームを有する、請求項２に記載の装置。
【請求項１２】
請求項１に記載の装置を有するリモコン。
【請求項１３】
リモコンの少なくとも１つの制御フィーチャを推定する方法において、前記リモコンが、前記リモコンにより制御される機器に又は近くに配置された少なくとも１つのビーコンから生じる少なくとも１つの光点を検出し、前記少なくとも１つのビーコンと異なる他の光源である少なくとも１つの非ビーコンから生じる少なくとも１つの光点を検出するカメラを有し、前記方法が、
前記少なくとも１つのビーコンからの前記少なくとも１つの光点及び前記少なくとも１つの非ビーコンからの前記少なくとも１つの光点の両方の検出からの情報に応答して前記少なくとも１つの制御フィーチャを推定するステップ、
を有する、方法。
【請求項１４】
請求項１３に記載の方法のステップを実行するコンピュータプログラム。
【請求項１５】
請求項１４に記載のコンピュータプログラムを記憶し、有する媒体。
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
基板上のマスク層のエッチング速度と選択性を増大させるシステムであって：
前記マスク層とシリコン又はシリコン酸化物の層を含む複数の基板；
前記マスク層をエッチングするための処理液体を含んで前記複数の基板を処理するエッチング処理チャンバ；及び、
前記エッチング処理チャンバと結合して昇圧して蒸気と水蒸気の混合物を供給する沸騰装置；
を有し、
前記蒸気と水蒸気の混合物は、選択された目標エッチング速度と、シリコン又はシリコン酸化物に対する前記マスク層の選択された目標エッチング選択比を維持するのに十分な速度で前記エッチング処理チャンバへ導入される、
システム。
【請求項２】
前記マスク層が、シリコン窒化物、窒化ガリウム、又は窒化アルミニウムのうちの一を有する、請求項1に記載のシステム。
【請求項３】
前記処理液体がリン酸水溶液である、請求項2に記載のシステム。
【請求項４】
前記選択されたエッチング選択比が10:1乃至1000:1の範囲内である、請求項2に記載のシステム。
【請求項５】
前記リン酸水溶液の温度が160℃乃至220℃の範囲内である、請求項3に記載のシステム。
【請求項６】
前記処理液体が、リン酸、フッ化水素、又はフッ化水素/エチレングリコールのうちの一を含む、請求項1に記載のシステム。
【請求項７】
前記蒸気と水蒸気の混合物の流速と圧力が、前記処理液体の温度を沸騰温度に変化させ、
前記処理液体の平衡濃度と温度が、前記選択された目標エッチング速度と、前記シリコン又はシリコン酸化物に対する前記マスク層の選択された目標エッチング選択比を実現させる、
請求項1に記載のシステム。
【請求項８】
基板上のマスク層のエッチング速度と選択性を増大させる方法であって：
前記マスク層とシリコン又はシリコン酸化物の層を含む複数の基板を作製する工程；
昇圧して蒸気と水蒸気の混合物を供給する工程；
設定されたエッチング速度及び設定されたエッチング選択比で処理液体を供給して前記シリコン又はシリコン酸化物に対して前記マスク層を選択的にエッチングする工程；
エッチング処理チャンバ内に複数の基板を設ける工程；
前記処理液体と前記蒸気と水蒸気の混合物を混合する工程；及び、
前記の混合された処理液体と蒸気と水蒸気の混合物を前記エッチング処理チャンバへ注入する工程；
を有し、
前記の混合された処理液体と蒸気と水蒸気の混合物の流れは、前記設定されたエッチング速度及び前記設定されたシリコン又はシリコン酸化物に対する前記マスク層のエッチング選択比を維持するように調整される、
方法。
【請求項９】
前記マスク層が、シリコン窒化物を有する、請求項8に記載の方法。
【請求項１０】
前記処理液体がリン酸水溶液である、請求項9に記載の方法。
【請求項１１】
前記選択されたエッチング選択比が10:1乃至1000:1の範囲内である、請求項9に記載の方法。
【請求項１２】
前記リン酸水溶液の温度が160℃乃至180℃の範囲内である、請求項9に記載の方法。
【請求項１３】
前記処理液体が、リン酸、フッ化水素、又はフッ化水素/エチレングリコールのうちの一を含む、請求項9に記載の方法。
【請求項１４】
前記マスク層が、シリコン窒化物、窒化ガリウム、又は窒化アルミニウムのうちの一を有する、請求項13に記載の方法。
【請求項１５】
前記蒸気と水蒸気の混合物の流速と圧力が、前記処理液体の温度を沸騰温度に変化させ、
前記処理液体の平衡濃度と温度が、前記選択された目標エッチング速度と、前記シリコン又はシリコン酸化物に対する前記マスク層の選択された目標エッチング選択比を実現させる、
請求項14に記載の方法。
【請求項１６】
基板上のマスク層のエッチング速度と選択性を増大させる方法であって：
マスク層とシリコン又はシリコン酸化物の層を含む複数の基板をエッチング処理チャンバ内に設ける工程；
昇圧して処理液体と蒸気と水蒸気の混合物を混合する工程；及び、
前記の混合された処理液体と蒸気と水蒸気の混合物を前記エッチング処理チャンバへ注入する工程；
を有し、
前記の混合された処理液体と蒸気と水蒸気の混合物の流れは、前記設定されたエッチング速度及び前記設定されたシリコン又はシリコン酸化物に対する前記マスク層のエッチング選択比を維持するように制御される、
方法。
【請求項１７】
前記処理液体が、リン酸、フッ化水素、又はフッ化水素/エチレングリコールのうちの一を含む、請求項16に記載の方法。
【請求項１８】
前記蒸気と水蒸気の混合物の流速と圧力が、前記処理液体の温度を沸騰温度に変化させ、
前記処理液体の平衡濃度と温度が、前記選択された目標エッチング速度と、前記シリコン又はシリコン酸化物に対する前記マスク層の選択された目標エッチング選択比を実現させる、
請求項17に記載の方法。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
チャンバと、
光学系と、
前記チャンバ内で、第１のターゲット材料液滴を用いて、ＥＵＶ光放出プラズマを発生させて前記光学系上に堆積物を生成する１次ＥＵＶ光放射体と、
ガスと、
前記チャンバ内で前記第１のターゲット材料液滴とは異なる第２のターゲット材料液滴からレーザ生成プラズマを発生させて前記ガスを用いて洗浄種を生成する２次光放射体と
を含む洗浄システムと
を含み、前記２次光放射体は、前記ＥＵＶ光放出プラズマを生成するために前記１次ＥＵＶ光放射体によって使用される第１のレーザ源とは異なる第２のレーザ源を使用する、極紫外（ＥＵＶ）光源。
【請求項２】
前記１次ＥＵＶ光放射体は、レーザ生成プラズマである、請求項１に記載の光源。
【請求項３】
前記１次ＥＵＶ光放射体は、レーザ生成プラズマ及び放電生成プラズマから構成されるＥＵＶ光放射体の群から選択される、請求項１に記載の光源。
【請求項４】
前記１次ＥＵＶ光放射体は、レーザ生成プラズマであり、前記第１のレーザ源が、該１次ＥＵＶ光放射体レーザ生成プラズマのためのレーザビームを発生させ、前記第２のレーザ源が、前記２次光放射体レーザ生成プラズマのためのレーザビームを発生させる、請求項１に記載の光源。
【請求項５】
前記１次ＥＵＶ光放射体は、レーザ生成プラズマであり、
前記光源が、前記１次ＥＵＶ光放射体のための第１の原材料液滴と、前記２次光放射体のための前記第２のターゲット材料液滴とを発生させるのに使用される少なくとも１つの成分を有する材料送出システムを更に含む、請求項１に記載の光源。
【請求項６】
前記２次光放射体は、ガス内の分解を生じる集束レーザビームを含む、請求項１に記載の光源。
【請求項７】
前記ガスは、水素を含み、前記洗浄種は、水素ラジカルを含む、請求項１に記載の光源。
【請求項８】
前記第１のターゲット材料液滴は、レーザビームとともに炭素を含む分子を含む、請求項１に記載の光源。
【請求項９】
炭素を含む分子を有する前記材料は、油を含むことを特徴とする請求項８に記載の光源。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
少なくとも一つの光電子部品から熱を放散させるためのヒートシンク・アセンブリであって、
射出成形により製造された樹脂製のヒートシンクと；
少なくともその一部が前記ヒートシンクの中に埋め込まれている、少なくとも一つの熱的にアクティブなインサートと；
前記光電子部品への熱的接続のための領域であって、前記熱的にアクティブなインサートの表面上に露出する領域と；
前記熱的にアクティブなインサートと前記ヒートシンクとの間の熱的接続と；を有し、前記熱的にアクティブなインサートは、前記光電子部品からの熱エネルギーを前記ヒートシンクに分散させるように配される、ヒートシンク・アセンブリ。
【請求項２】
少なくともその一部が前記ヒートシンクの中に埋め込まれている、少なくとも一つの電気的にアクティブなインサートを備え、
前記電気的にアクティブなインサートは、その表面に、前記光電子部品または他の部品への電気的な接続のための第１の露出領域を有し、
また前記電気的にアクティブなインサートは、その表面に、さらに別の部品または配線またはプリント基板への電気的な接続のための第２の露出領域を有する、
請求項１に記載のヒートシンク・アセンブリ。
【請求項３】
ヒートシンク・アセンブリの熱的にアクティブなインサートが電気的にもアクティブである、請求項２に記載のヒートシンク・アセンブリ。
【請求項４】
前記インサートの材質は金属である、請求項１から３のいずれかに記載のヒートシンク・アセンブリ。
【請求項５】
前記インサートは二次元的に突き出し部を有する形状を有し、好ましくは三次元的に突き出し分を有する形状を有する、請求項１から４のいずれかに記載のヒートシンク・アセンブリ。
【請求項６】
前記光電子部品の少なくとも一つはＬＥＤ、裸のＬＥＤダイ、マルチチップ・モジュールのいずれかである、請求項１から５のいずれかに記載のヒートシンク・アセンブリ。
【請求項７】
前記光電子部品と前記インサートとの間に半田付けのような金属間接合が存在する、請求項１から６のいずれかに記載のヒートシンク・アセンブリ。
【請求項８】
前記インサートの前記露出領域にダイボンディングまたはワイヤボンディングで接続された、少なくとも一つのダイ要素を備える請求項１から７のいずれかに記載のヒートシンク・アセンブリ。
【請求項９】
前記熱的にアクティブなインサートのほとんどは前記ヒートシンクの部材に埋め込まれる、請求項１から８のいずれかに記載のヒートシンク・アセンブリであって、好ましくは前記インサートの７５％の部分は前記ヒートシンクの部材の内部にあり、及び／又は前記インサートの表面の７５％は前記ヒートシンク部材との接触面である、ヒートシンク・アセンブリ。
【請求項１０】
少なくとも一つの光電子部品のためのヒートシンク・アセンブリを製造する方法であって、
熱伝導性を有する材料で、熱的にアクティブなインサートを作ることと；
樹脂製のヒートシンクを射出成形で作ることと；
前記射出成形の途中で、前記ヒートシンクの少なくとも一部分の中に一つ又は複数の熱的にアクティブなインサートを埋め込み、前記熱的にアクティブなインサートと前記ヒートシンクとの間に熱的な接触を提供することと；
前記光電子部品と前記熱的にアクティブなインサートとの間に熱的な接触を提供すべく、前記熱的にアクティブなインサートの或る領域を露出させることと；
を有することを特徴とする、方法。
【請求項１１】
電気伝導性を有する材料で、電気的にアクティブなインサートを作ることと；
前記射出成形の途中で、前記ヒートシンクの少なくとも一部分の中に一つ又は複数の電気的にアクティブなインサートを埋め込むことと；
電気的にアクティブなインサートと前記光電子部品又は他の部品との間に電気的な接続を提供すべく、前記電気的にアクティブなインサートの第１の領域を露出させることと；
さらに別の部品、配線、プリント基板のいずれかとの接続を提供するために、前記電気的にアクティブなインサートの第２の領域を露出させることと；
を含む、請求項１０に記載の方法。
【請求項１２】
熱的にアクティブなインサートを製造する材料として金属を用いる．請求項１０または１１に記載の方法。
【請求項１３】
電気的にアクティブなインサートを製造する材料として金属を用いる．請求項１０から１２のいずれかに記載の方法。
【請求項１４】
前記光電子部品はダイであり、前記ダイは、ダイボンディング及び／又はワイヤボンディングによって電気ヒートシンク・アセンブリに接続される、請求項１０から１３いずれかに記載の方法。
【請求項１５】
前記インサートが前記ヒートシンクに埋め込まれる前に光電子部品を前記インサートに取り付ける、請求項１０から１４のいずれかに記載の方法。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
超音波トランスデューサのｃＭＵＴセルのアレイであって、前記ｃＭＵＴセルは、共通基板上に配された複数の塊状プレート上に配されており、前記ｃＭＵＴセルのアレイが、
複数のｃＭＵＴセルであって、各セルが、
セルメンブレンと、
メンブレン支持構造と、
セルメンブレンに結合される上部電極と、
前記セルメンブレンが移動する空間を提供するギャップと、
前記上部電極と共に用いられる底部電極と、を有するｃＭＵＴセルと、
ｃＭＵＴセルが配される複数の塊状プレートであって、各塊状プレートが、前記ｃＭＵＴセルによる送信の間、その上に配された前記ｃＭＵＴによりもたらされる音圧力に実質的に対抗する慣性力を持ち、各塊状プレート及びその上に配されるｃＭＵＴセルは、その横方向の運動が、間隙により隣の塊状プレートから分離されている、複数の塊状プレートと、
前記複数の塊状プレート及びそれらのｃＭＵＴセルが取り付けられる１の基板とを有する、ｃＭＵＴセルのアレイ。
【請求項２】
前記セルメンブレン、前記メンブレン支持構造、前記上部電極、前記底部電極及び前記塊状プレートが、半導体製造処理により製造される、請求項１に記載のｃＭＵＴセルのアレイ。
【請求項３】
前記塊状プレートが、前記底部電極を提供するよう、電気伝導性物質で形成される、請求項２に記載のｃＭＵＴセルのアレイ。
【請求項４】
前記電気伝導性物質が、タンタル、金、モリブデン、銅、クロミウム、若しくはタングステン、又はこれらの合金である、請求項３に記載のｃＭＵＴセルのアレイ。
【請求項５】
各塊状プレートが更に、前記ｃＭＵＴセルが作動する超音波の波長に対して小さなサイズを実現する高い剛性を示す、請求項１に記載のｃＭＵＴセルのアレイ。
【請求項６】
各塊状プレートが更に、高い音響インピーダンスを示す、請求項５に記載のｃＭＵＴセルのアレイ。
【請求項７】
前記音響インピーダンスが、４０ＭＲａｙｌｓより大きい、請求項６に記載のｃＭＵＴセルのアレイ。
【請求項８】
各塊状プレートが、順応的な支持部により前記基板に取り付けられる、請求項１に記載のｃＭＵＴセルのアレイ。
【請求項９】
各塊状プレートが、間隔を空けて配置される複数の支持部により、前記基板に取り付けられる、請求項１に記載のｃＭＵＴセルのアレイ。
【請求項１０】
前記間隔を空けて配置される支持部の間の空間が、真空、空気又は順応的な物質のいずれかで充填される、請求項９に記載のｃＭＵＴセルのアレイ。
【請求項１１】
前記順応的な物質が、シリコンゴムである、請求項１０に記載のｃＭＵＴセルのアレイ。
【請求項１２】
前記アレイの個別のｃＭＵＴセルが、個別に横方向に分離された塊状プレートに取り付けられる、請求項１に記載のｃＭＵＴセルのアレイ。
【請求項１３】
前記個別のｃＭＵＴセル及び塊状プレートが、六角形のパターンを示す、請求項１２に記載のｃＭＵＴセルのアレイ。
【請求項１４】
前記個別のｃＭＵＴセル及び塊状プレートが、円形パターンを示す、請求項１２に記載のｃＭＵＴセルのアレイ。
【請求項１５】
前記ｃＭＵＴセル及び塊状プレートが、集積回路層をオーバレイする半導体基板上に形成される、請求項１２に記載のｃＭＵＴセルのアレイ。
【請求項１６】
１の塊状プレートの慣性力が、その上に配されるｃＭＵＴセルによりもたらされる音圧力の少なくとも５０％に対抗する、請求項１に記載のｃＭＵＴセルのアレイ。
【請求項１７】
前記ｃＭＵＴセルによりもたらされる音圧力が、少なくとも６ｄＢ減衰する、請求項１に記載のｃＭＵＴセルのアレイ。
【請求項１８】
１の塊状プレートの慣性力が、その上に配されるｃＭＵＴによりもたらされる音圧力の少なくとも６６．６７％に対抗する、請求項１に記載のｃＭＵＴセルのアレイ。
【請求項１９】
１のｃＭＵＴセルによりもたらされる音圧力が、その塊状プレートによって、少なくとも１０ｄＢ減衰する、請求項１に記載のｃＭＵＴセルのアレイ。
【請求項２０】
１の塊状プレートの慣性力が、その上に配されるｃＭＵＴによりもたらされる音圧力の少なくとも９０％に対抗する、請求項１に記載のｃＭＵＴセルのアレイ。
【請求項２１】
１のｃＭＵＴセルによりもたらされる音圧力が、その塊状プレートによって、少なくとも２０ｄＢ減衰する、請求項１に記載のｃＭＵＴセルのアレイ。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
ａ）約４００ｇ／モルから約２５，０００ｇ／モル以下の分子量を有し、且つ（−Ｃ４Ｆ８Ｏ−）、（−Ｃ３Ｆ６Ｏ−）、（−Ｃ２Ｆ４Ｏ−）、（−ＣＦ２Ｏ−）、又はこれらの組み合わせから選択される部分を含有する１種以上の官能化フルオロポリエーテルであって、ラジカル硬化反応においてラジカル硬化系に対して反応性である少なくとも１つの官能基を末端位置、又は前記末端位置に隣接する位置に含有するように官能化されたフルオロポリエーテルと、
ｂ）少なくとも１つのラジカル発生化合物を含む少なくとも１つのラジカル硬化系と、
ｃ）シリカ含有物質、炭素含有物質、又はこれらの組み合わせから選択される少なくとも１つの充填剤と
を含む硬化性組成物であって、この組成物の総重量を基準として少なくとも３０重量％の官能化フルオロポリエーテルを含む硬化性組成物。
【請求項２】
前記フッ素化フルオロポリエーテルが、以下の式によって表される、請求項１に記載の硬化性組成物：
ＸＣＦ２Ｏ（ＣＦ２Ｏ）ｗ（Ｃ２Ｆ４Ｏ）ｘ（Ｃ３Ｆ６Ｏ）ｙ（Ｃ４Ｆ８Ｏ）ｚＣＦ２Ｙ
式中、Ｘ及びＹは、互いに独立して、ラジカル硬化反応においてラジカル硬化系に対して反応性であり、且つ以下から選択される少なくとも１つの官能基を含有する残基を表す。
（ｉ）ハロゲン及びアルキルハロゲンであって、前記アルキルハロゲンのアルキル基が、１〜１０個の炭素原子を有し、フッ素化されていなくても、フッ素化されていても、全フッ素化されていてもよく、且つ任意で酸素又は窒素原子を含有し、前記ハロゲンが、ヨウ素、臭素、及び塩素から選択されるハロゲン及びアルキルハロゲン。
（ｉｉ）ニトリル又はアルキルニトリルであって、前記アルキルニトリルのアルキル基が、１〜１０個の炭素原子を有し、フッ素化されていなくても、フッ素化されていても、全フッ素化されていてもよく、且つ任意で酸素又は窒素原子を含有するニトリル又はアルキルニトリル。
（ｉｉｉ）エチレン性不飽和基−Ｚ−ＣＷ＝ＣＷ２であって、Ｗは、独立して、Ｈ、Ｃｌ、Ｆ、又はＣＦ３を表し、Ｚは、化学結合、任意でフッ素、塩素、酸素、窒素、若しくは硫黄原子、又はこれらの組み合わせを含有する１〜１０個の炭素原子のアルキル基を表すが、ただし、少なくとも１つの残基ＷはＨである、エチレン性不飽和基
（式中、ｗ、ｘ、ｙ、及びｚは、互いに独立して、０〜３０の整数であるが、ただし、ｗ＋ｘ＋ｙ＋ｚは、少なくとも６である）。
【請求項３】
前記組成物の総量に基づいて少なくとも４０重量％のフルオロポリエーテル、及び２５℃未満のガラス転移温度を有し、ラジカル硬化反応において硬化性であり、且つ前記フルオロポリエーテルよりも高い分子量を有する少なくとも１種のフルオロポリマーを含む、請求項１に記載の硬化性組成物。
【請求項４】
請求項１に記載の硬化性組成物を硬化させることによって得られる硬化フルオロエラストマーを含む組成物。
【請求項５】
請求項１に記載の硬化性組成物を射出成形又は圧縮成形することによって得られる成形物品。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
式(II)
【化１】
2014510119.tif 000001
の２−アミノ−Ｎ−[７−メトキシ−８−(３−モルホリン−４−イルプロポキシ)−２,３−ジヒドロイミダゾ[１,２−ｃ]キナゾリン−５−イル]ピリミジン−５−カルボキサミド二塩酸塩またはその溶媒和物、水和物もしくは互変異性体。
【請求項２】
結晶形態である、請求項１に記載の式(II)の二塩酸塩。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
以下：
【化１】
2014510110.tif 000001
からなる群より選択される、化合物、その同位体または医薬上許容される塩。
【請求項２】
【化２】
2014510110.tif 000002
である、請求項１記載の化合物、その同位体または医薬上許容される塩。
【請求項３】
【化３】
2014510110.tif 000003
である、請求項１記載の化合物、その同位体または医薬上許容される塩。
【請求項４】
【化４】
2014510110.tif 000004
である、化合物、その同位体または医薬上許容される塩。
【請求項５】
【化５】
2014510110.tif 000005
である、化合物、その同位体または医薬上許容される塩。
【請求項６】
該化合物の医薬上許容される塩である、請求項４記載の化合物。
【請求項７】
該医薬上許容される塩が、ジ−（２−アミノ−２−（ヒドロキシメチル）プロパンジオール）エタノレート塩を含む、請求項６記載の化合物。
【請求項８】
請求項１〜７のいずれか１項に記載の少なくとも１種の化合物および１種またはそれ以上の医薬上許容される担体を含む、医薬組成物。
【請求項９】
少なくとも１種のさらなる治療剤をさらに含む、請求項８記載の医薬組成物。
【請求項１０】
請求項１〜７のいずれか１項に記載の少なくとも１種の化合物を含む、疾患または障害の治療剤であって、該疾患または障害が、アテローム性動脈硬化、インスリン抵抗性、変形性関節炎、卒中、高血糖、脂質異常症、乾癬、加齢およびＵＶによる皮膚のしわ、糖尿病、癌、炎症、免疫学的障害、脂質障害、肥満、黄斑変性症、表皮バリア機能異常によって特徴付けられる病態、表皮または粘膜の分化阻害または過剰増殖の病態、あるいは心血管障害である、治療剤。
【請求項１１】
該疾患または障害が、アテローム性動脈硬化、糖尿病または脂質異常症である、請求項１０記載の治療剤。
【請求項１２】
該疾患または障害が、アテローム性動脈硬化である、請求項１１記載の治療剤。
【請求項１３】
該疾患または障害が、糖尿病である、請求項１１記載の治療剤。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
グリセリン、プロピレングリコール、ソルビトール、ポリエチレングリコールおよびこれらの混合物からなる群より選ばれる第１の皮膚軟化剤と、
水溶性ラノリン誘導体からなる群より選ばれ、前記第１の皮膚軟化剤より少量の第２の皮膚軟化剤と、
０．０５質量％〜１．５質量％のヨウ素と
を含む即時使用可能な殺菌性の組成物であって、
前記組成物は１質量％未満のヨウ素錯化剤を含むことを特徴とする、即時使用可能な殺菌性の組成物。
【請求項２】
前記組成物はさらに増粘剤を含む、請求項１に記載の殺菌性の組成物。
【請求項３】
前記増粘剤は、前記組成物の５質量％まで含まれ、かつ、ヒドロキシエチルセルロース、カルボキシメチルセルロース、アルギン酸ナトリウム、キサンタンガム、アラビアゴムおよびこれらの混合物からなる群より選ばれる、請求項２に記載の殺菌性の組成物。
【請求項４】
前記組成物はアラビアゴムおよびキサンタンガムを含む、請求項３に記載の殺菌性の組成物。
【請求項５】
前記組成物は０．１〜５質量％のアラビアゴムおよび０．０５〜０．５質量％のキサンタンガムを含む、請求項４に記載の殺菌性の組成物。
【請求項６】
前記水溶性ラノリン誘導体はアルコキシ化ラノリンを含む、請求項１ないし５のいずれか１項に記載の殺菌性の組成物。
【請求項７】
前記アルコキシ化ラノリンはエトキシ化ラノリンを含む、請求項６に記載の殺菌性の組成物。
【請求項８】
前記第１の皮膚軟化剤はグリセリンを含む、請求項１ないし７のいずれか１項に記載の殺菌性の組成物。
【請求項９】
前記組成物は界面活性剤系ヨウ素錯化剤またはポリマー系ヨウ素錯化剤を１質量％未満含む、請求項１ないし８のいずれか１項に記載の殺菌性の組成物。
【請求項１０】
前記組成物は懸濁粒子を含み、
前記懸濁粒子は２５ｎｍから５μｍまでの間の平均粒子径を有する、請求項１ないし９のいずれか１項に記載の殺菌性の組成物。
【請求項１１】
前記組成物は２ｃＰから５０００ｃＰまでの間の粘度を有する、請求項１ないし１０のいずれか１項に記載の殺菌性の組成物。
【請求項１２】
前記組成物は、さらに希釈することなく、動物の乳首に対して即時使用可能である、請求項１ないし１１のいずれか１項に記載の殺菌性の組成物。
【請求項１３】
前記組成物は１０質量％〜５０質量％の前記第１の皮膚軟化剤および０．０５質量％〜１０質量％の第２の皮膚軟化剤を含む、請求項１ないし１２のいずれか１項に記載の殺菌性の組成物。
【請求項１４】
請求項１ないし１３のいずれか１項に記載の組成物を、十分量、前記動物の皮膚に塗布することを含む、ウシ属の動物の乳首を感染症から保護する方法。